(57)【要約】【課題】施工性を向上させた照明器具の提供をする。【解決手段】本発明における照明器具２００は、被取付部に取り付けられる照明器具２００であって、光源ユニット１００と間隔を設けて対向する第一領域２１３、第一領域２１３の外周に設けられた第二領域２１４を有した本体枠２１０と、光源ユニット１００と本体枠２１３を連結させる連結部品３００とを備え、光源ユニット２１０と第一領域２１３との間に連結部材３００を収容していることで、被取付部に取り付ける為の取付孔２１１ｂを第二領域に形成することができ、施工性を向上させることができる。【選択図】          図７
2018067490.tif 000002
【特許請求の範囲】
【請求項１】
光源ユニットと間隔を設けて対向する第一領域、前記第一領域の外周に設けられた第二領域を有し、被取付部に取り付ける為の取付孔が前記第二領域に形成された本体枠と、
前記光源ユニットと前記第一領域との間に収容され、前記光源ユニットと前記本体枠を連結させる連結部品と、
を備えたことを特徴とする照明器具。
【請求項２】
前記本体枠は、前記第二領域に複数の前記取付孔を有しており、
複数の前記取付孔は、前記第一領域を挟んで対になるように設けられるとともに、前記第一領域を挟む方向が交差するように配置されていることを特徴とする請求項１に記載の照明器具。
【請求項３】
前記本体枠は、前記光源ユニットが前記第一領域と間隔を設け当接する光源受部を有していること特徴とする請求項１または請求項２のいずれか一項に記載の照明器具。
【請求項４】
前記本体枠は、前記第二領域を覆う化粧枠が取り付けられていることを特徴とする請求項１から請求項３のいずれか一項に記載に記載の照明器具。
【請求項５】
前記化粧枠は、
両端に開口が設けられた筒状であり、前記第一領域と前記第二領域とを遮るように設けられている筒部と、
前記筒部の前記開口のうち一方の前記開口側より突設し、前記第二領域を覆うカバー部と、
を備えていることを特徴とする請求項４に記載の照明器具。
【請求項６】
請求項１から請求項５のいずれか一項に記載の照明器具と、
前記連結部材により、前記器具本体と間隔を設けて連結した光源ユニットと、
を備えたことを特徴とする照明装置。
【発明の詳細な説明】
【技術分野】
【０００１】
本発明は、照明器具および照明器具を備える照明装置に関するものである。
【背景技術】
【０００２】
従来より、天井などの被取付部に設置される照明装置において、被取付部に吊ボルトなどの固定具を用いて取り付けを行なっているものがある。
【０００３】
例えば、固定具により被取付部に取り付けられる板状の照明器具と、この照明器具の中心付近に固定された光源とを備えている照明装置がある。この照明装置は、照明器具の光源が取り付けられた外周に点灯装置、調光装置、端子台などが配置され、固定具が挿通される取付孔が形成されている。
【先行技術文献】
【特許文献】
【０００４】
【特許文献１】特開２０１４-２１６１１６号公報
【発明の概要】
【発明が解決しようとする課題】
【０００５】
しかしながら、特許文献１に記載されている照明装置は、点灯装置、調光装置、端子台などと干渉しないように取付孔を設けなくてはならず、取付孔を照明器具の四隅にしか設けることができなかった。したがって、この照明装置を被取付部に取り付けする為の固定具は、四隅に設けられた取付孔の間隔に合わせて設けられた固定具に限られてしまい、施工性が良くなかった。
【０００６】
そこで、本発明は、上記のような課題を解決する為になされたもので、施工性を向上させた照明器具を提供することを目的とする。
【課題を解決するための手段】
【０００７】
本発明における照明器具は、光源ユニットと間隔を設けて対向する第一領域、前記第一領域の外周に設けられた第二領域を有し、被取付部に取り付ける為の取付孔が前記第二領域に形成された本体枠と、前記光源ユニットと前記第一領域との間に収容され、前記光源ユニットと前記本体枠を連結させる連結部品と、を備えることを特徴とするものである。
【発明の効果】
【０００８】
本発明の照明器具は、施工性を向上させたものである。
【図面の簡単な説明】
【０００９】
【図１】実施の形態１における照明装置の斜視図である。
【図２】実施の形態１における照明装置の分解斜視図である。
【図３】実施の形態１における光源ユニットの分解斜視図である。
【図４】実施の形態１における光源ユニットの平面図である。
【図５】実施の形態１における引掛け金具の斜視図である。
【図６】実施の形態１における連結金具の斜視図である。
【図７】実施の形態１における照明器具の分解斜視図である。
【図８】実施の形態１における本体枠の平面図である。
【図９】実施の形態１における本体枠の取付孔の配置を示す参考図である。
【図１０】実施の形態１における受け金具の斜視図である。
【図１１】実施の形態１におけるバネの斜視図である。
【図１２】実施の形態１における本体枠のＡ−断面図である。
【図１３】実施の形態１における照明装置の取付工程図である。
【図１４】実施の形態１における照明装置の断面参考図である。
【図１５】実施の形態２における照明装置の斜視図である。
【図１６】実施の形態１における照明器具の分解斜視図である。
【図１７】実施の形態１における本体枠の平面図である。
【発明を実施するための形態】
【００１０】
実施の形態１.
本発明に係る実施の形態として、天井などの被取付部に、吊ボルトなどの固定具により取り付けられる照明装置１について説明をする。
以下の説明において、照明装置１が被取付部と対向する方向を照明装置１の上方向として、上方向と反対側を下方向として説明する。
図１および図２を参照して照明装置１の各部の構成を説明する。図１は本実施の形態における照明装置１の斜視図である。図２は図１に示す照明装置１の分解斜視図である。
【００１１】
照明装置１は、光源ユニット１００と、照明器具２００とを備える。光源ユニット１００は、照明器具２００に着脱自在に取り付けられる。照明器具２００は、固定具により被取付部に取り付けられる。
【００１２】
図３から図６を参照して、光源ユニット１００の各部の構成を説明する。図３は図２に示す光源ユニット１００の分解斜視図である。図４は図２に示す光源ユニット１００の上方向側からみた平面図である。図５は図３に示す引掛け金具３２０の斜視図である。図６は図３に示す連結金具３３０の斜視図である。
光源ユニット１００は、発光部１１０と、フレーム１２０と、カバー１３０を備えている。
【００１３】
発光部１１０は、複数の発光素子１１１と、複数の発光素子１１１が実装される基板１１２とを有している。基板１１２は、略正方形状であり、発光素子１１１が等間隔で実装されている。発光部１１０は、フレーム１２０に４つ取り付けられている。
【００１４】
なお、発光部１１０を大きく構成して１つにしても良く、４つ以上に細かく分割しても良い。発光素子１１１は、表面実装タイプのＬＥＤ素子であるが、ＣＯＢ型発光モジュール、有機ＥＬでも良い。基板１１２は、正方形状のものに限らず、長方形状又はその他の形状に形成されたものが並べられても良い。
【００１５】
フレーム１２０は、発光部１１０が取り付けられる。フレーム１２０は、発光部１１０が取り付けられるフレーム取付部１２１と、フレーム取付部３２１の外周に設けられたカバー受部１２２とを有している。
【００１６】
フレーム取付部１２１は、略正方形であり板状に形成されている。フレーム取付部１２１は、板状の一方の面が発光部１１０が取り付けられる発光部取付面１２１ａであり、他方の面が取付部背面１２１ｂである。
【００１７】
カバー受部１２２は、フレーム取付部１２１の外周に設けられ、カバー１３０の端部が挿し込まれる溝形状をしている。カバー受部１２２は、フレーム取付部１２１の各側辺に設けられており、フレーム取付部１２１の側辺にて発光部取付面１２１ａから取付部背面１２１ｂの方向へ延びる受部内側面１２２ａと、受部内側面１２２ａからフレーム取付部１２１と平行に外側に延びる受部底面１２２ｂと、受部底面１２２ｂの外側の端部より垂直にフレーム取付部１２１側に延びる受部外側面１２２ｃとを備えている。
【００１８】
カバー１３０は、一面が開口した箱形状をしており、発光部１１０を覆うようにフレーム１２０に取り付けられる。カバー１３０は、開口と対向する略正方形状をしたカバー正面部１３１と、カバー正面部１３１の側辺から開口に向って突設するカバー側面部１３２とを有している。カバー１３０は、カバー側面部１３２の開口側端部がフレーム１２０のカバー受部１２２に挿し込まれて、フレーム１２０に固定される。
【００１９】
光源ユニット１００は、フレーム１２０の取付部背面１２１ｂに、一対の点灯装置３１０、一対の引掛け金具３２０、一対の連結金具３３０が設置されている。
点灯装置３１０は、中央付近に長手方向の側面が対向する状態で、間隔を設けて２つ並行するように設置されている。引っ掛け金具３２０は、点灯装置３１０の長手方向の一端側において、一対の点灯装置３１０を挟むように２つ設置されている。連結金具３３０は、点灯装置３１０の長手方向の他端側において、一対の点灯装置３１０を挟むように２つ設置されている。
【００２０】
点灯装置３１０は、照明装置１の外部より商用電源からの電力供給を受け、発光部１１０に電力を供給する。点灯装置３１０は、図示しない電源回路が内蔵され長尺形状をした点灯装置本体部３１１と、商用電源からの電力供給を受ける為の点灯装置接続部３１２を備えている。点灯装置接続部３１２は、点灯装置電線３１２ａと、点灯装置電線３１２ａの先端に設けられた電源コネクタ３１２ｂとを備えている。
【００２１】
引掛け金具３２０が、光源ユニット１００を照明器具２００に取り付けする取付機構の１つである。引っ掛け金具３２０は、図５に示すように、フレーム取付部１２１の取付部背面１２１ｂに固定される引掛け金具固定部３２１と、引掛け金具固定部３２１の端部に設けられた引掛け部３２２を有している。
【００２２】
連結金具３３０は略Ｌ形状であり、光源ユニット１００を照明器具２００に取り付けする取付機構の１つである。連結金具３３０は図６に示すように、フレーム取付部１２１の取付部背面１２１ｂに固定される連結金具固定部３３１と、連結金具固定部３３１に略垂直に設けられる連結金具連結部３３２とを備えている。連結金具連結部３３２は、角状に開口された連結用開口３３２ａを有している。
【００２３】
以上が光源ユニット１００の構成であり、次に、この光源ユニット１００が装着される照明器具２００の各部の構成を図７から図１２を用いて説明する。図７は図２に示す照明器具２００の分解斜視図である。図８は図７に示す本体枠２１０の下方向側からみた平面図である。図９は図８に示す本体枠２１０の取付孔２１１ｂの配置を示す参考図である。図１０は図７に示す受け金具３５０を示す斜視図である。図１１は図７に示すバネ３６０を示す斜視図である。図１２は図７に示す化粧枠２２０のＡ-断面図である。
【００２４】
照明器具２００は、本体枠２１０と、化粧枠２２０とを有している。本体枠２１０は、固定具により被取付部に取り付けられる。化粧枠２２０は、本体枠２１０の一部を覆うように本体枠２１０に取り付けられる。
【００２５】
本体枠２１０は、略正方形の板状をした本体面２１１と、本体面２１１の側辺から突設した本体側面２１２とを備えている。
本体面２１１は、中央側に設けられた第一領域２１３と、第一領域２１３の外周に設けられた第二領域２１４を有している。
本体面２１１には、照明装置１の外部から電線を引き込む電線孔２１１ａと、本体枠２１０を被取付部に固定する為の固定具が挿通される取付孔２１１ｂが形成されている。
【００２６】
第一領域２１３は、光源ユニット１００が器具本体２００に取り付けられた状態において、光源ユニット１００のフレーム１２０と対向する範囲である。第一領域２１３は、図８の仮想点線Ａで囲んだ範囲であり、フレーム２００と同じように略正方形状をした範囲である。この第一領域２１３は、中央付近に電線孔２１１ａが設けられている。
【００２７】
第二領域２１４は、第一領域２１３の外側に設けられている範囲であり、第一領域２１３を囲むように設けられている。第二領域２１４は、仮想点線Ａで示す第一領域２１３の境界線から本体側面２１２までの範囲である。
【００２８】
第二領域２１４は、複数の取付孔２１１ｂが設けられている。この取付孔２１１ｂは、長穴形状に形成されており、第一領域２１３を挟み対向する取付孔２１１ｂとは、長穴の長手方向が直交するように配設されている。このように取付孔２１１ｂを設けることで、固定具の配置が所定の位置より若干異なったとしても、器具本体２１０に負荷をかけることなく取り付けをすることができる。
【００２９】
第二領域２１４に設けられた複数の取付孔２１１ｂの配置に関して、図９を用いて説明をおこなう。図９において、第一領域２１３を挟んで対向する間隔を間隔Ａ、第一領域２１３を挟まずに対向する間隔を間隔Ｂとする。
第二領域２１４は、４つの異なる取付間隔に対応できるように取付孔２１１ｂを設けている。なお、第一領域２１３を挟んで対向する間隔Ａは全て同じに形成されている。
第一取付間隔Ｐ１は、フレーム取付部１２１の電源孔２１１ａを挟む２つの取付孔２１１ｂで形成されている。
第二取付間隔Ｐ２は、第一取付間隔Ｐ１を挟むように４つの取付孔２１１ｂで形成されており、取付孔２１１ｂの間隔Ｂは間隔Ｂ２とする。
第三取付間隔Ｐ３は、第二取付間隔Ｐ２を挟むように４つの取付孔２１１ｂで形成されており、取付孔２１１ｂの間隔Ｂは間隔Ｂ３とする。間隔Ｂ３は間Ｂ２よりも大きくなる。
第四取付間隔Ｐ４は、第一取付間隔Ｐ１、第一取付間隔Ｐ２、第一取付間隔Ｐ３に対して、第一領域２１３を挟む方向が直交する方向になるように第二領域２１４に設けられている。この第四取付間隔Ｐ４の間隔Ｂは間隔Ｂ４とする。
この間隔Ｂ４は、間隔Ｂ２よりも小さく形成しても良い。もしくは、間隔Ｂ２よりも大きく間隔Ｂ３よりも小さい値としてもよい。
【００３０】
このように、第四取付間隔Ｐ４を設けることで、本体枠２１０の強度への影響を抑制して、複数の取付孔２１１ｂを設けることできる。これは、本体枠２１０の一部に、本体面２１１を貫通する取付孔２１１ｂが集中して設けられ強度が劣化してしまうことを抑制することができる。また、取付孔２１１ｂの間隔Ｂ寸法が近いものは、互いに間隔Ａを直交するように設けることで、取付孔２１１ｂ同士が干渉することを防ぐことができる。なお、垂直に交差してなくとも、取付孔２１１ｂ同士が干渉しない角度で交差しているものであれば、同様な効果を得ることができる。
【００３１】
第二領域２１４は、図９に示すように複数の取付孔２１１ｂを設けることで、複数の固定具の配置間隔に対応することができ、照明装置１の施工性が向上させることができる。例えば、既設の照明器具の交換において、既設の固定具を外すことなく使用することができ、新たな固定具を設ける作業を減らすことができる。また、被取付部の背面側、例えば、天井裏側に障害物があり所定の間隔で固定具が設けることができないときに、固定具の配置間隔を変更して設けることができる。
【００３２】
本体枠２１０は、第一領域２１３に、端子台３４０と、一対の受け金具３５０、一対のバネ３６０、化粧枠固定金具２１５が配設されている。
端子台３４０は第一領域２１３の中央付近に電源挿通孔２１１ａと隣接して設置されている。受け金具３５０は、第一領域２１３のいずれかの一辺側に寄った状態で、間隔を設け２つ設置されている。バネ３６０は、第一領域２１３の受け金具３５０が寄っている側辺と対向する側辺に寄った状態で、間隔を設け２つ設置されている。化粧枠固定金具２１５は、一対の受け金具３５０、一対のバネ３６０を挟むように４つ設けられている。
【００３３】
端子台３４０は、被取付部側から本体面部２１１の電源挿通孔２１１ａを介して引き込まれた電源電線が挿し込まれる。
この端子台３４０は、矩形状に形成された端子台本体部３４１と、点灯装置３１０に電気的に接続する端子台接続部３４２とを備える。この端子台接続部３４２は、端子台電線３４２ａと端子台電線３４２ａの先端に設けられた端子台コネクタ３４２ｂを備える。
【００３４】
受け金具３５０は、光源ユニット１００を照明器具２００に取り付けする取付機構の１つであり、引掛け金具３２０と係合する。受け金具３５０は図１０に示すように、本体枠２１０の本体面２１１に固定される受金具固定部３５１と、受け金具固定部３５１の先端に設けられた受け金具爪部３５２とを有している。受け金具爪部３５２は、引掛け金具３２０の引掛け部３２２が引っ掛けられる。
【００３５】
バネ３６０は、光源ユニット１００を照明器具２００に取り付けする取付機構の１つであり、連結金具３３０と係合する。バネ３６０は図１１に示すように、バネ固定部３６１と、バネ円弧部３６２と、バネ先端部３６３が設けられている。バネ固定部３６１は、本体枠２１０の本体面２１１に固定される。バネ円弧部３６２は、円弧形状をしており、一端にバネ先端部３６３が設けられている。バネ先端部３６３は、連結金具３３０の連結用開口３３２ａに引掛けられる。また、バネ３６０は、ステンレス材料や、バネ鋼材などの弾性材料で形成される。
【００３６】
化粧枠固定金具２１５は、ネジ形状をしており、化粧枠２２０が引っ掛けられた後に、化粧枠２２０を本体枠２１０に固定するように本体枠２１１へ締め付けられる。
【００３７】
化粧枠２２０は、第一領域２１３を露出させ、第二領域２１４を覆うように本体枠２１０に固定される。
化粧枠２２０は、直方体の両端が開口した形状をした筒部２２１と、筒部２２１の一方の開口側から傾斜するように設けられたカバー部２２２と、化粧枠２２０を本体枠２１０に固定する為の固定部２２３とを有している。
【００３８】
筒部２２１は、化粧枠２２０が本体枠１１０に固定された状態で、第一領域２１３と第二領域２１４を遮るように設けられ、開口より第一領域２１３が露出する。
筒部２２１は、４つの内側面２２１ａが両端を角状の開口になるように配置されている。内側面２２１ａは、図１２に示すように、側面部２２２が設けられた開口側に配置された第一側面２２１ａａと、他方の開口側に設けられた第二側面２２１ａｂとを有している。内側面２２１ａは、対抗する第一側面ａａの距離が対抗する第二側面ａｂの距離よりも大きくなるように形成されている。この第一側面ａａの端部と第二側面ａｂの端部の間には光源受部２２１ａｃが形成されている。光源受部２２１ａｃは、第一側面ａａと第二側面ａｂに対して垂直に形成されている。
光源受部２２１ａｃは、光源ユニット１００が取り付けられた状態において、光源ユニット１００が第一領域２１３と間隔を設けるように、受部底部１２２ｂと当接する。
【００３９】
カバー部２２２は、化粧枠２２０が本体枠２１０に固定された状態において、本体枠２１０の第二領域２１４を覆うように形成されている。側面部２２２は、筒部２２１の一方の開口側から他方の開口側に向うに従って、広がるように傾斜して形成されている。
【００４０】
固定部２２３は、化粧枠２２０を本体枠２１０に固定する。固定枠２２３は、筒部２２１の内側面２２１ａのうち対向する２つの内側面２２１ａに形成されている。
固定部２２３は、対向する内側面２２１ａにおいて、一方の内側面２２１ａから他方の内側面２２１ａに向って突設するように形成されている。固定部２２３には、化粧枠固定金具２１５と係合する固定孔２２３ａが形成されている。
【００４１】
以上が照明装置１の各部の構成である。次に、図１３を参照して本発明による照明装置１の被取付部１０へ取り付けする方法の概要を説明する。なお、被取付部１０に設けられた固定具２０は、第一取付間隔Ｐ１〜第一取付間隔Ｐ４のいずれかの間隔で配設されている。
【００４２】
図１３において、
（ａ）は、本体枠２１０が被取付部に取り付けられる前の状態を示し、
（ｂ）は、本体枠２１０に化粧枠２２０を取り付けられた状態を示し、
（ｃ）は、照明器具２００に光源ユニット１００が引っ掛けられた状態を示し、
（ｄ）は、照明器具２００に光源ユニット１００が取り付けられた状態を示す。
【００４３】
はじめに、図１３の（ａ）に示すように、作業者は、被取付部１０を通して室内側に露出する固定具２０を取付孔２１１ｂに挿通し、固定具２０にナット２１をねじ込んで本体枠２１０を被取付部１０に固定する。
【００４４】
さらに、被取付部１０側からを本体枠２１０の電源孔２１１ａを介して電源電線３０を引き込み、電源電線を端子台３４０に挿し込みをする。
【００４５】
次に、図１３の（ｂ）に示すように、作業者は、本体枠２１０の化粧枠固定部３７０に化粧枠２２０の固定部２２３を係合させて、化粧枠２２０を本体枠２１０に固定する。このとき、固定具２０は化粧枠２２０の側面部２２２に覆われる。
【００４６】
次に、図１３の（ｃ）に示すように、作業者は、光源ユニット１００の引掛け金具３２０の引掛け部３２２を照明器具２００の受け金具３５０の受け金具爪部３５２に引っ掛ける。更に、照明器具２００のバネ３６０のバネ円弧部３６２を弾性変形させ、バネ先端部３６３を連結金具３３０の連結用開口３３２ａに引っ掛けをする。
【００４７】
なお、このとき端子台３４０の端子台コネクタ３４２ｂと、点灯装置３1０の点灯装置コネクタ３１２ｂを接続する。
【００４８】
最後に、図１３の（ｄ）に示すように、作業者は、光源ユニット１００を照明器具２００に向って押し込むことで、バネ１２０のバネ円弧部３６２の弾性変形は解除され、バネ１２０の復元力により光源ユニット１００は器具本体２００に引き込む。このとき、光源ユニット１００は、フレーム１２０の受部底面１２２ｂが化粧枠２２０の光源受部２２１ａｃに当接し、照明器具２００に固定される。
【００４９】
以上が照明装置１の被取付部１０への取り付け方法である。次に、照明装置１の部材の配置に関して、図１４を用いて説明を行なう。
【００５０】
照明器具１は、光源ユニット１００が器具本体２００取り付けされた状態において、光源ユニット１００と第一領域２１３との間に、点灯装置３１０、引掛け金具３２０、連結金具３３０、端子台３４０、受け金具３５０、バネ３６０が配置されている。これらの部品は、光源ユニット１００と照明器具２００を連結する連結部材３００である。点灯装置３１０と端子台３４０は、光源ユニット１００と照明器具２００とを電気的に連結する連結部材３００である。引掛け金具３２０、連結金具３３０、受け金具３５０、バネ３６０は、光源ユニット１００と照明器具２００を構造的に連結する連結部材である。
【００５１】
照明装置１は、これらの連結部材３００を、光源ユニット１００のフレーム１２０と、照明器具２００の第一領域２１３と、筒部２２１に囲まれた第一収容空間２３０に収容する。また、照明装置１は、照明器具２００の第二領域２１４と、化粧枠２２０の筒部２２１と、カバー部２２２に囲まれた第二収容部２４０に固定具２０が収容される。
【００５２】
本実施の形態は、照明装置１は、光源ユニット１００と、被取付部に取り付けられる照明器具２００と、光源ユニット１００と照明器具２００を連結させる連結部材３００とを備えている。
【００５３】
この照明装置１は、照明器具２００が、光源ユニット１００と対向する第一領域２１３と、第一領域２１３の外側に設けられた第二領域２１４とを有する本体枠２１０を備えるとともに、光源ユニット１００が照明器具２００に取り付けられた状態において、連結部材３００が光源ユニット１００と第一領域２１３との間に配置されている。よって、本体枠２１０の第二領域２１４に、被取付部に設けられた固定具が挿通される取付穴２１１ｂを連結部材３００と干渉することなく複数設けることができ、施工性を向上することができる。
【００５４】
また、本実施の形態は、照明装置１の照明器具２００は、第二領域２１４に複数の取付孔２１１ｂが設けられている。
この複数の取付孔２１１ｂは、第二領域２１４が第一領域２１３の外周に設けられていることで、第一領域２１３を挟んで対になるように設けられるとともに、第一領域２１３を挟む方向が交差するように配置することができ、本体枠２１０の強度への影響を抑制して設けることできる。
【００５５】
また、本実施の形態は、照明器具２００は、光源ユニット１００が取り付けられた状態において、光源ユニット１００を第一領域２１３と間隔を設け固定する光源受部２２２ａｃを有しているこことで、光源ユニット１００と第一領域２１３の間に連結部材３００を収容することができる。なお、光源受部２２２ａｃは、化粧枠２２０に設けられた形状の説明を行なったが、光源受部２２２ａｃを別の部材として本体枠１００に設けても良い。また、連結部材３００に光源ユニット２００の固定機構を設けても良い。例えば、連結金具３３０の先端が本体枠２１０の本体面２１１に当接して光源ユニット１００を固定するようにしても良い。
【００５６】
また、本実施の形態は、照明器具２００は、化粧枠２２０のカバー部２２２が第二領域２１４を覆っている。よって、固定具および取付孔２１１ｂが露見することを防ぎ、意匠性を劣化することを防ぐことができる。
【００５７】
また、本実施の形態は、照明器具２００は、化粧枠２２０が、第一領域２１３と第二領域２１４とを遮るように設けられた筒部２２１と、第二領域を覆うカバー部２２２を有していることで、光源ユニット１００と第一領域２１３と筒部２２１により連結部材３００を収容する第一収容部２３０を形成し、第二領域２１４と筒部２２１とカバー部２２２により固定具が収容される第二収容部２４０を形成している。よって、照明装置１を被取付部に取り付けをするときに、光源ユニット１００および連結部材３００、電源電線などが固定具に干渉することを防ぐことができる。
【００５８】
なお、本実施の形態は、取付孔２１１ｂが、本体枠２１０に第一取付間隔Ｐ１〜第一取付間隔Ｐ４になるように設けられた説明を行なったが、取付孔２１１ｂの配置は第一取付間隔Ｐ１〜第一取付間隔Ｐ４に限られるものでなく、第二領域２１４のどこに設けてもよい。例えば、第二領域２１４の四隅に設けても良く、被取付部に取り付けするときに第二領域２１４に既存の取付孔２１１ｂが形成されてない箇所に加工を追加して設けても良い。
【００５９】
また、本実施の形態は、連結部材３００は、光源ユニット１００に点灯装置３１０、引掛け金具３２０、連結金具３３０が配設され、照明器具２００に端子台３４０、受け金具３５０、バネ３６０が配設されている形態に関して説明を行なったが、光源ユニット１００に受け金具３５０、バネ３６０が配設され、照明器具２００に点灯装置３１０、引掛け金具３２０、連結金具３３０、端子台３４０が配設されているようにしても良い。また、連結部材３００は、全てを備えてない構成でも良い。例えば、端子台３４０を備えてなく、本体枠２１０の電源孔２１１ｂから引き込まれた電源電線が点灯装置３１０の接続されるようにしても良い。
【００６０】
また、本実施の形態は、光源ユニット１００と照明器具２００に構造的に連結させるものとして引掛け金具３２０、連結金具３３０、受け金具３５０、バネ３６０に関して説明したが、構造的に連結できるものであれが異なる形状の連結部材でも良い。例えば、連結金具３３０とバネ３６０だけで連結するようにしても良く、光源ユニット１００側にＶ形状をしたバネを設けるとともに本体枠２１０に開口を設け、Ｖ形状をしたバネが本体枠２１０の開口に係合するようにしても良い。
【００６１】
また、照明装置１の第一収容部２３０には、連結部品３００が収容される説明を行なったが、調光制御装置や、無線ユニットが収容されていても良い。
【００６２】
また、本実施の形態は、光源ユニット１００は下方向Ｚ２側からの平面図において略正方形状に形成しているが、長方形状に形成しても良く、円形状にしても良い。また、照明器具２００も長方形状に形成しても良く、円形状にしても良い。
【００６３】
また、本実施の形態は、光源ユニット１００が、一面が開口した箱形状のカバー１３０と、カバー１３０の開口を塞ぐように設けられたフレーム１２０に関して説明を行なったが、フレーム１２０を一面が開口した箱形状に設け、カバー１３０の開口を塞ぐような板状に形成した光源ユニットでもよい。
【００６４】
実施の形態２．
次に、実施の形態２の照明装置を図１５から図１７を参照して説明をする。本実施の形態に係る照明器具５００は、実施の形態１の照明器具２００と異なる本体枠５１０を有するものである。実施の形態１と同一又は相当部分には同一番号を付し重複した説明は省略する。
図１５は本実施の形態における照明装置４００の斜視図である。図１６は図１５に示す照明器具５００の分解斜視図である。図１７は図１６に示す本体枠５１０の下方向からみた平面図である。
【００６５】
照明装置４００は、光源ユニット１００と、光源ユニット１００が着脱可能に取り付けられる照明器具５００を有している。照明器具５００は、本体枠５１０と、化粧枠２２０を有している。
【００６６】
本体枠５１０は、長方形の板状をした本体面５１１と、本体面５１１の側辺から突設した本体側面５１２とを備えている。
本体面５１１は、中央側に設けられた第一領域５１３と、第一領域５１３の外周に設けられた第二領域５１４を有している。
【００６７】
第一領域５１３は、光源ユニット１００が器具本体２００に取り付けられた状態において、光源ユニット１００のフレーム１２０と対向する範囲である。第一領域５１３は、図１７の仮想点線Ｂで囲んだ範囲であり、フレーム２００と同じように略正方形状をした範囲である。
【００６８】
第二領域５１４は、第一領域５１３の外側に設けられている範囲であり、第一領域５１３を囲むように設けられている。第二領域５１４は、仮想点線Ｂで示す第一領域５１３の境界線から本体側面５１２までの範囲である。
第二領域５１４は、第一領域５１３を挟んで対向する第二領域Ａ５１４ａと、第二領域Ｂ５１４ｂのうち、第二領域Ａ５１４ａが第二領域Ｂ５１４ｂより大きく形成されている。第二領域Ａ５１４ａは、第一領域５１３を挟む方向において隣接する取付孔２１１ｂを有している。よって、第一領域５１３を挟む方向においても異なる寸法をした取付間隔を設けることができる。
【００６９】
本実施の形態は、長方形状をした本体面５１１に略正方形状をした第一領域５１３を設けることで、第二領域Ａ５１４ａに第一領域５１３を挟む方向において隣接する取付孔２１１ｂを設けることができ、より施工性を向上させることができる。
【００７０】
なお、本実施の形態では、長方形状をした本体面５１１に関して説明を行なったが、第一領域５１３を挟む方向において隣接する取付孔２１１ｂを設けることができる形状であれば多角形状でも良く、楕円形状でも良い。
【００７１】
また、上記実施の形態１、２において、被取付部に直接取り付けられる照明装置について説明したが、被取付部に直接取り付けられる形状に限らず、照明装置であれば、その形状は限定されない。例えば、被取付部に設けられた開口に埋め込まれる埋め込み形の照明装置でも良い。
【００７２】
また、上記実施の形態１、２は、いくつかを適宜組み合わせることが可能である。また、上記実施の形態１、２の一部を抽出して組み合わせることも可能である。更に、実施の形態１、２に限らず、適宜変更することも可能である。
【符号の説明】
【００７３】
１  照明装置、１０  被取付部、２０  固定具、２１  ナット、３０  電源電線、１００  光源ユニット、１１０  発光部、１１１  発光素子、１１２  基板、１２０  フレーム、１２１  フレーム取付部、１２１ａ  発光部取付面、１２１ｂ  取付部背面、１２２  カバー受部、１２２ａ  受部内側面、１２２ｂ  受部底面、１２２ｃ  受部外側面、１３０  カバー、１３１  カバー正面部、１３２  カバー側面部、２００  照明器具、２１０  本体枠、２１１  本体面、２１１ａ  電源孔、２１１ｂ  取付孔、２１２  本体側面、２１３  第一領域、２１４  第二領域、２１５  化粧枠固定部、２２０  化粧枠、２２１  筒部、２２１ａ  内側面、２２１ａａ  第一側面、２２１ａｂ  第二側面、２２１ａｃ  光源受部、２２２  カバー部、２２３  固定部、２２３ａ  固定孔、２３０  第一収容部、２４０  第二収容部、３００  連結部材、３１０  点灯装置、３１１  点灯装置本体部、３１２  点灯装置接続部、３１２ａ  点灯装置電線、３１２ｂ  点灯装置コネクタ、３２０  引掛け金具、３２１  引掛け金具固定部、３２２  引掛け部、３３０  連結金具、３３１  連結金具固定部、３３２  連結金具連結部、３３２ａ  連結用開口、３４０  端子台、３４１  端子台本体部、３４２  端子台接続部、３４２ａ  端子台電線、３４２ｂ  端子台コネクタ、３５０  受け金具、３５１  受け金具固定部、３５２  受け金具爪部、３６０  バネ、３６１  バネ固定部、３６２  バネ円弧部、３６３  バネ先端部、４００  照明装置、５００  照明器具、５１０  本体枠、５１１  本体面、５１２  本体側面、５１３  第一領域、５１４  第二領域、５１４a  第二領域Ａ、５１４ｂ  第二領域Ｂ。
【図１】
2018067490.tif 000003
【図２】
2018067490.tif 000004
【図３】
2018067490.tif 000005
【図４】
2018067490.tif 000006
【図５】
2018067490.tif 000007
【図６】
2018067490.tif 000008
【図７】
2018067490.tif 000009
【図８】
2018067490.tif 000010
【図９】
2018067490.tif 000011
【図１０】
2018067490.tif 000012
【図１１】
2018067490.tif 000013
【図１２】
2018067490.tif 000014
【図１３】
2018067490.tif 000015
【図１４】
2018067490.tif 000016
【図１５】
2018067490.tif 000017
【図１６】
2018067490.tif 000018
【図１７】
2018067490.tif 000019